(57)【要約】【課題】代金の支払者から代行者に、商品の代金を商品の額だけ正しくかつ即座に支払える情報処理装置、携帯端末装置およびプログラムを提供することである。【解決手段】依頼者に頼まれて購入した代購入商品を含む取引を決済した商品の取引情報を電子化した取引情報の内容を示す電子レシート情報を前記代購入商品の購入を代行した代行者が携帯する第１携帯端末装置に送信する電子レシート情報送信手段と、第１携帯端末装置の操作に伴い、電子レシート情報に基づいて、決済した商品のうち代購入商品の取引情報を依頼者が携帯する第２携帯端末装置に送信する代行情報送信手段と、代行者の口座情報と依頼者の口座情報とを記憶する口座情報記憶部と、第２携帯端末装置での依頼者による代購入商品の代金の支払操作がされると、記憶された依頼者の口座情報および代行者の口座情報に基づいて、代金を依頼者の口座から代行者の口座に払い込むための処理を実行する払込実行手段と、を備える。【選択図】図１３
2019106217.tif 000002
【特許請求の範囲】
【請求項１】
取引を決済した商品の代金を含む取引情報を電子化した前記取引情報の電子レシート情報を第１携帯端末装置に表示させるために前記第１携帯端末装置に出力する電子レシート情報出力手段と、
前記第１携帯端末装置の操作に伴い、前記決済した商品のうち所定の商品の合計金額を含む商品情報を第２携帯端末装置に表示させるために前記第２携帯端末装置に出力する第２取引情報出力手段と、
第１口座の第１口座情報と第２口座の第２口座情報とを記憶する口座情報記憶部と、
表示された前記商品情報に基づいて前記第２携帯端末装置での前記所定の商品の代金の支払操作がされると、記憶された前記第１口座情報および前記第２口座情報に基づいて、前記所定の商品の代金を前記第２口座から前記第１口座に払い込むための処理を実行する払込実行手段と、
を備えた情報処理装置。
【請求項２】
前記第２取引情報出力手段は、前記払込実行手段によって前記払い込むための処理が実行されていないことを条件に、前記所定の商品の代金を含む取引情報を前記第２携帯端末装置に出力する、
請求項１に記載の情報処理装置。
【請求項３】
前記第１口座情報は、前記第１口座に記憶された電子マネーの金額情報であり、前記第２口座情報は、前記第２口座に記憶された電子マネーの金額情報である、
請求項１または２に記載の情報処理装置。
【請求項４】
前記第２取引情報出力手段が出力した前記所定の商品の取引情報について、前記第２携帯端末装置の操作に基づいて支払いに同意しないことを示す差戻情報を、前記第１携帯端末装置に出力する差戻情報出力手段、をさらに備えた、
請求項１乃至３のいずれか一に記載の情報処理装置。
【請求項５】
取引を決済した商品の代金を含む取引情報を電子化した前記取引情報を示す電子レシート情報を受信して表示する電子レシート情報表示手段と、
受信した前記電子レシート情報に基づいて所定の商品を指定する指定手段と、
指定された前記所定の商品の合計金額を含む商品情報を表示する商品表示手段と、
前記商品情報を外部の情報処理装置に出力する出力手段と、
前記情報処理装置から受信した前記商品情報に基づいて、前記所定の商品の代金の支払許諾の操作に基づく処理を実行する支払許諾手段と、
を備えた携帯端末装置。
【請求項６】
前記所定の商品の支払に同意しないことを操作する差戻操作手段と、
操作された差戻情報を情報処理装置に出力する差戻情報出力手段と、
をさらに備えた請求項５に記載の携帯端末装置。
【請求項７】
第１口座の第１口座情報と第２口座の第２口座情報とを記憶する口座情報記憶部を備えたコンピュータを、
取引を決済した商品の代金を含む取引情報を電子化した前記取引情報の電子レシート情報を第１携帯端末装置に表示させるために前記第１携帯端末装置に出力する電子レシート情報出力手段と、
前記第１携帯端末装置の操作に伴い、前記決済した商品のうち所定の商品の合計金額を含む商品情報を第２携帯端末装置に表示させるために前記第２携帯端末装置に出力する第２取引情報出力手段と、
表示された前記商品情報に基づいて前記第２携帯端末装置での前記所定の商品の代金の支払操作がされると、記憶された前記第１口座情報および前記第２口座情報に基づいて、前記所定の商品の代金を前記第２口座から前記第１口座に払い込むための処理を実行する払込実行手段と、
して機能させるプログラム。
【請求項８】
携帯端末装置としてのコンピュータを、
取引を決済した商品の代金を含む取引情報を電子化した前記取引情報を示す電子レシート情報を受信して表示する電子レシート情報表示手段と、
受信した前記電子レシート情報に基づいて所定の商品を指定する指定手段と、
指定された前記所定の商品の商品情報を当該所定の商品の合計金額とともに表示する商品表示手段と、
前記商品情報を外部の情報処理装置に出力する出力手段と、
前記情報処理装置から受信した前記商品情報に基づいて、前記所定の商品の代金の支払許諾の操作に基づく処理を実行する支払許諾手段と、
して機能させるプログラム。
【請求項９】
情報処理装置と、前記情報処理装置と通信可能な第１携帯端末装置および第２携帯端末装置と、を備えた電子レシートシステムであって、
前記情報処理装置は、
取引を決済した商品の代金を含む取引情報を電子化した前記取引情報の電子レシート情報を前記第１携帯端末装置に表示させるために前記第１携帯端末装置に出力する電子レシート情報出力手段と、
前記第１携帯端末装置の操作に伴い、前記決済した商品のうち所定の商品の合計金額を含む商品情報を前記第２携帯端末装置に表示させるために前記第２携帯端末装置に出力する第２取引情報出力手段と、
第１口座の第１口座情報と第２口座の第２口座情報とを記憶する口座情報記憶部と、
表示された前記商品情報に基づいて前記第２携帯端末装置での前記所定の商品の代金の支払操作がされると、記憶された前記第１口座情報および前記第２口座情報に基づいて、前記所定の商品の代金を前記第２口座から前記第１口座に払い込むための処理を実行する払込実行手段と、
を備え、
前記第１携帯端末装置は、
前記電子レシート情報を受信して表示する電子レシート情報表示手段と、
前記電子レシート情報に基づいて所定の商品を指定する指定手段と、
指定された前記所定の商品の前記商品情報を表示する商品表示手段と、
前記商品情報を前記情報処理装置に出力する出力手段と、
を備え、
前記第２携帯端末装置は、
前記情報処理装置から受信した前記商品情報に基づいて、前記所定の商品の代金の支払許諾の操作に基づく処理を実行する支払許諾手段、
を備えた電子レシートシステム。
【発明の詳細な説明】
【技術分野】
【０００１】
本発明の実施形態は、情報処理装置、携帯端末装置、プログラムおよび電子レシートシステムに関する。
【背景技術】
【０００２】
従来からショッピングセンター等での買い物を依頼した依頼者に頼まれて買い物を代行者がする買物代行が行われてきた。依頼者に買物を頼まれた代行者は、依頼者に代わって依頼者の買物を実行して商品を購入する。そして代行者は購入した商品を依頼者に渡すとともに、商品の代金をもらう。
【０００３】
このような買物代行において、買物を頼んだ依頼者が、代行者が代行して購入した代購入商品の代金を所持していない場合や、代購入商品の金額の金銭を所持していない場合は、依頼者から買物を頼まれた代行者への代金の支払いを正しく行えない、あるいはその場で行えないという問題があった。
【発明の概要】
【発明が解決しようとする課題】
【０００４】
本発明が解決しようとする課題は、買物の代行を頼んだ場合、代金の支払者から代行者に、商品の代金を商品の額だけ正しくかつ即座に支払える情報処理装置、携帯端末装置、プログラムおよび電子レシートシステムを提供することである。
【課題を解決するための手段】
【０００５】
実施形態の情報処理装置は、取引を決済した商品の代金を含む取引情報を電子化した前記取引情報の電子レシート情報を第１携帯端末装置に表示させるために前記第１携帯端末装置に出力する電子レシート情報出力手段と、前記第１携帯端末装置の操作に伴い、前記決済した商品のうち所定の商品の合計金額を含む商品情報を第２携帯端末装置に表示させるために前記第２携帯端末装置に出力する第２取引情報出力手段と、第１口座の第１口座情報と第２口座の第２口座情報とを記憶する口座情報記憶部と、表示された前記商品情報に基づいて前記第２携帯端末装置での前記所定の商品の代金の支払操作がされると、記憶された前記第１口座情報および前記第２口座情報に基づいて、前記所定の商品の代金を前記第２口座から前記第１口座に払い込むための処理を実行する払込実行手段と、を備える。
【０００６】
実施形態の携帯端末装置は、取引を決済した商品の代金を含む取引情報を電子化した前記取引情報を示す電子レシート情報を受信して表示する電子レシート情報表示手段と、受信した前記電子レシート情報に基づいて所定の商品を指定する指定手段と、指定された前記所定の商品の合計金額を含む商品情報を表示する商品表示手段と、前記商品情報を外部の情報処理装置に出力する出力手段と、前記情報処理装置から受信した前記商品情報に基づいて、前記所定の商品の代金の支払許諾の操作に基づく処理を実行する支払許諾手段と、を備える。
【０００７】
実施形態のプログラムは、第１口座の第１口座情報と第２口座の第２口座情報とを記憶する口座情報記憶部を備えたコンピュータを、取引を決済した商品の代金を含む取引情報を電子化した前記取引情報の電子レシート情報を第１携帯端末装置に表示させるために前記第１携帯端末装置に出力する電子レシート情報出力手段と、前記第１携帯端末装置の操作に伴い、前記決済した商品のうち所定の商品の合計金額を含む商品情報を第２携帯端末装置に表示させるために前記第２携帯端末装置に出力する第２取引情報出力手段と、表示された前記商品情報に基づいて前記第２携帯端末装置での前記所定の商品の代金の支払操作がされると、記憶された前記第１口座情報および前記第２口座情報に基づいて、前記所定の商品の代金を前記第２口座から前記第１口座に払い込むための処理を実行する払込実行手段と、して機能させる。
【０００８】
実施形態のプログラムは、携帯端末装置としてのコンピュータを、取引を決済した商品の代金を含む取引情報を電子化した前記取引情報を示す電子レシート情報を受信して表示する電子レシート情報表示手段と、受信した前記電子レシート情報に基づいて所定の商品を指定する指定手段と、指定された前記所定の商品の商品情報を当該所定の商品の合計金額とともに表示する商品表示手段と、前記商品情報を外部の情報処理装置に出力する出力手段と、前記情報処理装置から受信した前記商品情報に基づいて、前記所定の商品の代金の支払許諾の操作に基づく処理を実行する支払許諾手段と、して機能させる。
【図面の簡単な説明】
【０００９】
【図１】図１は、実施形態にかかる電子レシートシステムの構成全体を示す構成図である。
【図２】図２は、ＰＯＳ端末の要部構成を示すブロック図である。
【図３】図３は、ＰＯＳ端末の制御部のＲＡＭの一部を示すメモリマップである。
【図４】図４は、電子レシートサーバの要部構成を示すブロック図である。
【図５】図５は、電子レシート管理サーバの要部構成を示すブロック図である。
【図６】図６は、電子レシート管理サーバの記憶部の一部を示すメモリマップである。
【図７】図７は、電子レシート管理サーバの記憶部の一部を示すメモリマップである。
【図８】図８は、電子レシート管理サーバの記憶部の一部を示すメモリマップである。
【図９】図９は、携帯端末の要部構成を示すブロック図である。
【図１０】図１０は、ＰＯＳ端末における制御処理の流れを示すフローチャートである。
【図１１】図１１は、電子レシートサーバの制御処理の流れを示すフローチャートである。
【図１２】図１２は、電子レシート管理サーバの機能構成を示す機能ブロック図である。
【図１３】図１３は、電子レシート管理サーバの制御処理の流れを示すフローチャートである。
【図１４】図１４は、電子レシート管理サーバの制御処理の流れを示すフローチャートである。
【図１５】図１５は、電子レシート管理サーバの制御処理の流れを示すフローチャートである。
【図１６】図１６は、携帯端末の機能構成を示す機能ブロック図である。
【図１７】図１７は、携帯端末の制御処理の流れを示すフローチャートである。
【図１８】図１８は、携帯端末の制御処理の流れを示すフローチャートである。
【図１９】図１９は、携帯端末の表示例を示す図である。
【図２０】図２０は、携帯端末の表示例を示す図である。
【図２１】図２１は、携帯端末の表示例を示す図である。
【図２２】図２２は、携帯端末の表示例を示す図である。
【発明を実施するための形態】
【００１０】
以下、本実施形態について図面に基づいて説明する。本実施形態では、情報処理装置として電子レシート管理サーバを用いて説明する。また、携帯端末装置として携帯端末を用いて説明する。なお、以下に説明する実施形態によりこの発明が限定されるものではない。
【００１１】
図１は、実施形態にかかる電子レシートシステムの構成全体を示す構成図である。図１に示すように、電子レシートシステムは、ショッピングセンター等の店舗Ｐ１に設置されたＰＯＳ（Point  of  Sales）端末１およびストアサーバ２と、本部Ｐ３に設置された電子レシートサーバ３と、電子レシートセンターＰ４に設置された電子レシート管理サーバ４と、顧客が携帯する携帯端末７とを有する。
【００１２】
ＰＯＳ端末１は、店舗Ｐ１と本部Ｐ３とを繋ぐネットワークＮ２に接続されている。ここで、ネットワークＮ２は、例えば、インターネットやＶＰＮ（Virtual  Private  Network）等の専用線である。
【００１３】
ＰＯＳ端末１は、店舗Ｐ１での商品販売データ処理を実行する商品販売データ処理装置である。ＰＯＳ端末１は、決済対象の商品の取引内容を含む取引印字情報であるレシート情報を生成し、当該レシート情報を後述する印字部１３で印字することで紙レシートを発行する。また、ＰＯＳ端末１は、非構造化形式のレシート情報のデータ形式を非構造化形式とは異なる構造化形式に変換して電子化した電子レシート情報を生成する。電子レシート情報とは、本来レシート用紙に印字するレシート情報を、例えばＣＳＶ（Comma-Separated  Values）方式やＪＳＯＮ方式等の構造化形式に変換したレシート情報である。電子レシート情報は、電子レシートサーバ３を経由して電子レシート管理サーバ４に送信され、電子レシート管理サーバ４に記憶される。電子レシート管理サーバ４に記憶された電子レシート情報は、携帯端末７に送信されて閲覧することができる。携帯端末７は、電子レシート情報を、レシート用紙に印字するレシート情報とほぼ同一のフォーマットで表示する。
【００１４】
そして、ＰＯＳ端末１は、生成した電子レシート情報を、ネットワークＮ２を介して電子レシートサーバ３に出力（送信）する。電子レシート情報の送信方法は特に問わず、ＨＴＴＰやＨＴＴＰＳ等の汎用プロトコルを用いてもよい。なお、店舗Ｐ１に設けられるＰＯＳ端末１の個数は特に問わず、複数台であってもよい。
【００１５】
ＰＯＳ端末１は、顧客が購入した商品の金額に応じて、当該店舗Ｐ１で使用可能なポイントを算出して顧客に付与する。付与されたポイントは、ＬＡＮ（Local  Area  Network）等の通信回線Ｎ１で接続されたストアサーバ２に送信され、ストアサーバ２で蓄積される。
【００１６】
ストアサーバ２は、店舗Ｐ１全体の売上げを管理する。ストアサーバ２は、ＰＯＳ端末１と店舗Ｐ１内に設けられた通信回線Ｎ１で接続されている。ストアサーバ２は、ＰＯＳ端末１での販売情報に基づいて、店舗Ｐ１の売上情報を管理する。ストアサーバ２は、店舗Ｐ１の各ＰＯＳ端末の売上情報を、精算レシート情報として収集する。精算レシート情報とは、店舗Ｐ１が所定期間（例えば一日）に売上げた売上情報を集計した情報である。精算レシート情報とは、所定期間の総売上情報の他、例えば、売上情報を部門別やクラス別に集計した情報である。また例えば、売上情報を決済種別に集計した情報である。また例えば、売上情報を時間帯別に集計した情報である。また例えば売上情報を種々のカテゴリー別に集計した情報を含む。
【００１７】
また、ストアサーバ２は、ＰＯＳ端末１から送信された顧客のポイントを、顧客別に管理する。ポイントが付与された場合は、当該ポイントを累積するポイントが使用された場合は使用されたポイントを減算する。このようにストアサーバ２は、ポイントサーバの機能も果たす。なお、ポイントサーバの機能は、ストアサーバ以外の、例えば本部に設置された本部サーバにあってもよい。
【００１８】
電子レシートサーバ３は、店舗Ｐ１を運営する企業の本部Ｐ３に設けられており、店舗Ｐ１を運営する企業毎のレシート情報を管理する企業用のレシート管理サーバとして機能する。
【００１９】
また、電子レシートサーバ３は、ＰＯＳ端末１から送信された電子レシート情報を、ネットワークＮ２を介して受信する。また、電子レシートサーバ３は、受信した電子レシート情報を、本部Ｐ３と電子レシートセンターＰ４とを繋ぐネットワークＮ３を介して、電子レシート管理サーバ４に送信する。
【００２０】
ここで、ネットワークＮ３は、例えば、インターネットやＶＰＮ等の専用線である。また、電子レシート情報の送信方法は特に問わず、ＨＴＴＰやＨＴＴＰＳ等の汎用プロトコルを用いてもよい。
【００２１】
電子レシート管理サーバ４は、電子レシートセンターＰ４に設けられる。電子レシートセンターＰ４は、例えば、電子レシートサーバ３でレシート情報を管理する各企業の電子レシート情報および電子精算レシート情報の管理を行う。電子レシートセンターＰ４は、電子レシートサーバ３を運営する本部Ｐ３以外の第三者機関である。なお、電子レシートサーバ３についても第三者機関等が管理してもよい。
【００２２】
電子レシート管理サーバ４は、店舗を運営する各種企業の電子レシート情報を一括に管理する顧客用レシート管理サーバとして機能する。電子レシート管理サーバ４は、会員登録を行った各顧客（会員）の氏名や顧客コードである会員ＩＤ、電子レシート情報を送信する携帯端末７を特定するための固有の端末コードである電子レシートＩＤ（以降「ＳＲＩＤ」という）、電子レシート情報の送信先となる携帯端末７の送信先情報（例えばメールアドレス）等の会員データを、データベースＤＢに保持された会員マスタに記憶・管理する。なお、電子レシート管理サーバ４とは別に、会員データの記憶・管理を行う会員管理サーバ等を設ける構成としてもよい。
【００２３】
また、電子レシート管理サーバ４は、電子レシートサーバ３から送信された電子レシート情報を、ネットワークＮ３を介して受信し、この電子レシート情報をデータベースＤＢに保持された後述する電子レシート管理部４３ａの電子レシート番号部４３ａ２に記憶・管理する（図６を参照）。より詳細には、電子レシート情報は、商品の取引内容（商品販売データ）の他、電子レシート情報を送信する店舗の店舗情報や会員ＩＤ等の要素を含み、対応する会員の会員データと対応付けて管理される。
【００２４】
また、電子レシート管理サーバ４は、電子レシート番号部４３ａ２に電子レシート情報を記憶すると、この電子レシート情報の会員ＩＤに対応付けされた送信先情報を参照することで、送信先（携帯端末７）を特定する。そして、電子レシート管理サーバ４は、後述するネットワークＮ５を介して、送信する電子レシート情報があることをその送信先に通知する。
【００２５】
また、電子レシート管理サーバ４は、後述するネットワークＮ５を介して接続される携帯端末７から、会員ＩＤを指定する電子レシート照会を受け付けると、当該会員ＩＤに対応する電子レシート情報を電子レシート情報部４３ａ３から抽出し、携帯端末７に送信する。なお、電子レシート情報に付加情報が対応付けされている場合、この付加情報についても照会があった携帯端末７に送信する。
【００２６】
携帯端末７は、本システムの利用者（顧客）が携帯して使用する、例えばスマートフォン、携帯電話機、ＰＤＡ（Personal  Digital  Assistant）、タブレット型コンピュータ等の携帯端末装置である。携帯端末７は、ネットワークＮ５上で提供される各種情報を閲覧するためのＷｅｂブラウザ等のアプリケーションを実装する。
【００２７】
携帯端末７は、ネットワークＮ５を介して電子レシート管理サーバ４にアクセスする各種公衆網である。
【００２８】
実施形態において、携帯端末７は、第１携帯端末である携帯端末７ａと第２携帯端末である携帯端末７ｂとが存在する。携帯端末７ａは、依頼者からの依頼により例えばスーパーマーケット等の店舗Ｐ１で買物を代行した代行者が携帯する携帯端末７である。また、携帯端末７ｂは、代行者に買物を依頼した依頼者が携帯する携帯端末７である。なお、携帯端末７ａと携帯端末７ｂを総称して携帯端末７という。
【００２９】
ところで、本システムにおいて、携帯端末７で電子レシート情報を受信するための顧客の会員登録は、例えば次のような手順で行われる。顧客は、携帯端末７からネットワークＮ５を介して電子レシート管理サーバ４に対して空メールを送信する。電子レシート管理サーバ４は、受信したメールアドレスに会員登録のためのページを示すＵＲＬ（Uniform  Resource  Locator）を携帯端末７に送信する。顧客は、携帯端末７から会員登録のためのページを示すＵＲＬにアクセスして会員登録に必要な事項（氏名、送信先情報等）を入力させる入力画面を表示させる。顧客による必要事項の入力終了後、電子レシート管理サーバ４は、会員マスタに対する会員登録を実行する。その後、電子レシート管理サーバ４は、携帯端末７に対して会員ＩＤ及びパスワードを含む会員登録完了メールを配信する。これにより、会員登録が終了する。会員登録された後、ログインして認証された携帯端末７の表示部には、ＳＲＩＤをコードシンボル化したバーコードが表示される。
【００３０】
また、携帯端末７は、ＰＯＳ端末１での決済処理（取引）後、電子レシート管理サーバ４において電子レシート情報を送信可能であることを示す通知を、電子レシート管理サーバ４からネットワークＮ５を介して受信する。会員が、携帯端末７を操作して、電子レシート情報の照会情報を、ネットワークＮ５を介して電子レシート管理サーバ４に送信することで、当該会員の電子レシート情報を電子レシート管理サーバ４から受信する。また、携帯端末７は、受信した電子レシート情報を表示する。
【００３１】
かかる構成の電子レシートシステムにおいては、店舗Ｐ１のＰＯＳ端末１で商品販売データ処理が行なわれて生成された取引（決済）の内容を示す電子レシート情報が、電子レシートサーバ３を介して電子レシート管理サーバ４に伝送され、Ｗｅｂ上に公開される。したがって、Ｗｅｂブラウザを実装してなる携帯端末７は、ＵＲＬ（Uniform  Resource  Locator）を指定することにより、Ｗｅｂ上に公開された電子レシート情報を携帯端末７にダウンロードしてＷｅｂブラウザで閲覧することができる。なお、携帯端末７にレシート情報を閲覧するためのアプリケーションをインストールして閲覧するようにしてもよい。
【００３２】
次に、図２〜図９を用いて、第１実施形態の電子レシートシステムを構築する主要な装置のハードウェア構成について説明する。
【００３３】
まず、ＰＯＳ端末１について説明する。図２は、ＰＯＳ端末１の構成を示すブロック図である。図２に示すように、ＰＯＳ端末１は、各種演算やＰＯＳ端末１の各部を統括的に制御する制御部１１を備えている。制御部１１は、ＣＰＵ（Central  Processing  Unit）、各種プログラムやデータを記憶するＲＯＭ（Read  Only  Memory）、各種プログラムを一時的に記憶し、また各種データを書き換え自在に記憶するＲＡＭ（Random  Access  Memory）１１ａ、現在の日時を計時するＲＴＣ（Real  Time  Clock）部等によって構成されるコンピュータである。
【００３４】
制御部１１は、バス１８を介して操作部１２、印字部１３、表示部１４、コード読取部１５、通信Ｉ／Ｆ１６および記憶部１７に接続されている。
【００３５】
操作部１２は、オペレータが操作入力を行うための各種の操作キーを有している。操作キーとしては、例えば、数値を入力するための置数キー、所定の項目を選択するためのカーソルキーや選択決定キーの他、一取引の決済処理を実行させ、当該取引を終了させる締めキー１２１等が設けられている。
【００３６】
印字部１３は、レシート、ジャーナル、精算レシート、点検レシート等の印字を行うプリンタ装置で構成される。印字部１３は、例えば発熱媒体を有するサーマルヘッドで搬送される長尺状のロール用紙に、購入した商品の商品情報や決済処理にともなう決済情報等や精算情報や点検情報等の情報の印字を行い、その後用紙をカットしてレシート、ジャーナル、精算レシート、点検レシート等を発行する。
【００３７】
表示部１４は、例えば液晶ディスプレイ等であり、販売登録された商品の品名、価格、決済が宣言された一取引の合計金額、釣銭額等の各種情報を表示する。表示部１４は、精算レシートの発行処理、電子精算レシート情報の生成処理と送信処理、点検レシートの発行処理における各種情報を表示する。表示部１４は、キャッシャ向けに各種情報を表示するオペレータ用ディスプレイ１４ａと、顧客向けに各種情報を表示する客用ディスプレイ１４ｂとを備える。なお、表示部１４をタッチパネル構成としてもよく、この場合、タッチパネルは操作部１２として機能する。
【００３８】
コード読取部１５は、例えばバーコードや二次元コード等のコードシンボルを光学的に読み取るスキャナ装置である。コード読取部１５は、例えば、商品に付されたコードシンボルや、携帯端末７の表示部に表示されたコードシンボルや、ＰＯＳ端末１付近に表示された二次元コード化されたコードシンボル等を読み取る。制御部１１は、読み取った当該コードシンボルに保持された情報を入力する。なお、商品に付されたコードシンボルには、その商品を特定するための商品コード等が保持されているとする。また、携帯端末７に表示されるコードシンボルには、その携帯端末７を携帯する顧客を特定するためのＳＲＩＤや会員ＩＤ等が保持されている。なお、ＳＲＩＤや会員ＩＤは、携帯端末７に磁気的あるいは電気的に記憶されていてもよい。この場合、記憶されているＳＲＩＤや会員ＩＤを、専用の読取装置で読み取る。制御部１１は、読み取ったＳＲＩＤまたは会員ＩＤを入力する。また、二次元コード化されたコードシンボルには、店舗を特定する店舗コードが保持されている。
【００３９】
また、制御部１１は、バス１８を介して通信Ｉ／Ｆ（インターフェース）１６に接続されており、この通信Ｉ／Ｆ１６を介してネットワークＮ２に接続することが可能となっている。
【００４０】
また、制御部１１は、バス１８を介して、記憶部１７に接続されている。記憶部１７は、例えばＨＤＤ（Hard  Disk  Drive）やＳＳＤ（Solid  State  Drive）等の補助記憶装置である。記憶部１７は、商品販売データ処理、精算処理、点検処理を含む各種のＰＯＳ業務を実行するための制御プログラム１７ａを記憶する。制御プログラム１７ａに基づいて、制御部１１は、商品販売データ処理やレシート情報に係る処理を実行する。記憶部１７は、各商品の商品名、商品コード及び単価等の商品データを格納した商品データファイル等の商品販売データ処理に係る各種データファイルを記憶する。
【００４１】
また、記憶部１７は、レシート情報から電子レシート情報を生成するための電子レシート生成プログラム１７ｂを記憶する。制御部１１は、電子レシート生成プログラム１７ｂを駆動させて、レシート情報スキーマ（図示せず）に記述された変換規則に基づいて、非構造化形式のレシート情報を構造化形式の電子レシート情報に変換する。このようにして、制御部１１は、レシート情報から電子レシート情報を生成する。
【００４２】
ＰＯＳ端末１が生成する電子レシート情報は、会員ＩＤ、企業コード（店舗を運営する企業の識別コード）、店舗コード、ＰＯＳ端末１のＰＯＳナンバー、レシートナンバー、商品販売データ（日時データを含む）、などを含んでいる。したがって、例えば消費財メーカー等は、当該メーカーに関連する一意な購入商品の証明情報を、この電子レシート情報から特定条件の下（例えば、店舗を運営する特定の企業限定、特定の地域限定、特定の時間限定等）に取得することが可能になる。また、ＰＯＳ端末１が生成する電子レシート情報は、当該電子レシート情報を送信する携帯端末７を特定するＳＲＩＤを含んでいる。
【００４３】
また、記憶部１７は、自己のＰＯＳ端末１を他のＰＯＳ端末１と識別するためのＰＯＳナンバー、企業コード（店舗を運営する企業の識別コード）、業種・業態コード、店舗Ｐ１を特定する店舗情報である店舗コード等を記憶する。ここで、業種・業態コードは、例えば、コンビニエンスストア、スーパーマーケット、百貨店、薬局、レストラン、飲食店などとして、店舗の業種・業態を区別するコード（分類コード）である。また、同一企業が経営する各店舗において、それぞれの店舗を特定することが可能とするために、店舗毎に異なる店舗コードが付されている。なお、このような業種・業態は、ユーザの好みによって任意に変更可能である。また、企業コード（店舗を運営する企業の識別コード）、業種・業態コードについては、電子レシートサーバ３に登録されていてもよい。
【００４４】
次に、ＰＯＳ端末１の制御部１１におけるＲＡＭ１１ａのメモリマップの一部について説明する。図３において、ＲＡＭ１１ａは、ＳＲＩＤ記憶部１１ａ１、商品情報記憶部１１ａ２、売上情報記憶部１１ａ３を有する。
【００４５】
ＳＲＩＤ記憶部１１ａ１は、コード読取部１５から入力されたＳＲＩＤや会員ＩＤを記憶する。商品情報記憶部１１ａ２は、コード読取部１５から入力された商品コードに基づいて、図示しない商品マスタから読み出した商品情報（商品コード、商品名、単価、属性情報等）を記憶する。売上情報記憶部１１ａ３は、決済処理が実行された商品の商品情報や決済情報等を累計して記憶する累計情報である売上情報を記憶する。売上情報記憶部１１ａ３には、ＰＯＳ端末１での売上情報が記憶される。
【００４６】
次に、企業用のレシート管理サーバとして機能する電子レシートサーバ３のハードウェア構成を、図４のブロック図を用いて説明する。図４において、電子レシートサーバ３は、各種演算や電子レシートサーバ３の各部を統括的に制御する制御部３１を備えている。制御部３１は、ＣＰＵ、各種プログラムやデータを記憶するＲＯＭ、各種プログラムを一時的に記憶し、また各種データを書き換え自在に記憶するＲＡＭ、現在の日時を計時するＲＴＣ部等によって構成されるコンピュータである。
【００４７】
制御部３１は、バス３４に接続された通信Ｉ／Ｆ３２を介して、ネットワークＮ２やネットワークＮ３に接続することが可能となっている。また、制御部３１は、バス３４を介して記憶部３３に接続されている。
【００４８】
記憶部３３は、店舗を運営する企業毎の電子レシート情報を電子レシート管理部３３ａに記憶する。電子レシート情報は、企業コード（店舗を運営する企業の識別コード）、業種・業態コード、店舗コード、買物客の会員ＩＤ、ＰＯＳ端末１のＰＯＳナンバー、レシートナンバー、商品販売データなどを含む。また、記憶部３３は、電子レシート管理部３３ａに記憶された電子レシート情報を管理するための制御プログラム３３ｂを記憶する。
【００４９】
次に、顧客用レシート管理サーバとして機能する電子レシート管理サーバ４のハードウェア構成を、図５のブロック図を用いて説明する。図５において、電子レシート管理サーバ４は、各種演算や電子レシート管理サーバ４の各部を統括的に制御する制御部４１を備えている。制御部４１は、ＣＰＵ、各種プログラムやデータを記憶するＲＯＭ、各種プログラムを一時的に記憶し、また各種データを書き換え自在に記憶するＲＡＭ、現在の日時を計時するＲＴＣ部等によって構成されるコンピュータである。
【００５０】
制御部４１は、バス４４に接続された通信Ｉ／Ｆ４２を介して、ネットワークＮ３、およびネットワークＮ５に接続することが可能となっている。また、制御部４１は、バス４４を介して、記憶部４３に接続されている。
【００５１】
記憶部４３には、電子レシート管理部４３ａ、電子マネー記憶部４３ｂ、制御プログラム４３ｃ、顧客管理部４３ｄが設けられている。電子レシート管理部４３ａは、電子レシートサーバ３から受信した、店舗を運営する各種企業の電子レシート情報を会員毎に管理する。
【００５２】
また、記憶部４３は、会員の電子マネーの口座を会員毎に記憶する電子マネー記憶部４３ｂを備えている。口座は口座番号によって特定される。また、記憶部４３は、電子レシート管理部４３ａ等の制御を行うための制御プログラム４３ｃを記憶する。また、記憶部４３は、携帯端末７の携帯者である顧客を管理するための顧客管理部４３ｄを記憶する。
【００５３】
次に、図６を用いて、電子レシート管理部４３ａについて説明する。図６において、電子レシート管理部４３ａは、取引において生成した電子レシート情報を、ＳＲＩＤに対応させて取引毎に記憶する。電子レシート管理部４３ａは、ＳＲＩＤ部４３ａ１、電子レシート番号部４３ａ２、電子レシート情報部４３ａ３、立替申請画面情報部４３ａ４、差戻画面情報部４３ａ５、支払画面情報部４３ａ６、立替申請フラグ部４３ａ７、差戻フラグ部４３ａ８、立替済フラグ部４３ａ９を備えている。
【００５４】
ＳＲＩＤ部４３ａ１は、ＰＯＳ端末１のコード読取部１５によって読み取られた電子レシートを送信する携帯端末７を特定する端末コードであるＳＲＩＤを記憶する。電子レシート番号部４３ａ２は、電子レシート情報を特定する番号を、当該電子レシート情報を送信したＳＲＩＤに対応して記憶する。電子レシート情報部４３ａ３は、一取引分のレシート情報を電子レシート化した電子レシート情報を、取引毎にＳＲＩＤに対応して記憶する。実施形態では、電子レシート情報に、ＳＲＩＤ部４３ａ１に記憶されたＳＲＩＤ、電子レシート情報部４３ａ３に記憶された電子レシート情報を含む。
【００５５】
立替申請画面情報部４３ａ４は、代行者が携帯端末７ａを使用して立替申請をした立替申請画面情報を記憶する。差戻画面情報部４３ａ５は、依頼者が携帯端末７ｂを使用して、立替申請を差し戻した携帯端末７ｂの画面情報を記憶する。支払画面情報部４３ａ６は、依頼者が携帯端末７ｂを使用して、立替申請に同意して支払いを許諾した携帯端末７ｂの画面情報を記憶する。
【００５６】
立替申請フラグ部４３ａ７は、代行者が携帯端末７ａを使用して立替申請中であるか否かを示す立替申請フラグを記憶する。立替申請フラグが「１」の場合が立替申請をしたことを示す。立替申請フラグが「０」の場合が立替申請をしていないことを示す。差戻フラグ部４３ａ８は、立替申請を差戻ししたか否かを示す差戻フラグを記憶する。差戻フラグが「１」である場合、差戻しをしていることを示す。差戻フラグが「０」である場合、差戻しをしていないことを示す。立替済フラグ部４３ａ９は、立替申請に対して支払いを実行したか否かを示す立替済フラグを記憶する。立替済フラグが「１」の場合は、立替申請に対して支払いを実行していることを示す。立替済フラグが「０」の場合は、立替申請に対して支払いを実行していないことを示す。立替済フラグが「１」であれば、立替申請に対して支払いが済んでいるとして、再度の立替申請は拒否される。
【００５７】
次に、図７を用いて、電子マネー記憶部４３ｂについて説明する。電子マネー記憶部４３ｂは、携帯端末７を携帯する個人単位で開設した電子マネーに関する口座情報を記憶する。電子マネー記憶部４３ｂは、会員部４３ｂ１、ＳＲＩＤ部４３ｂ２、口座番号部４３ｂ３、金額情報部４３ｂ４を備えている。会員部４３ｂ１は、口座を開設した会員の会員ＩＤを記憶する。実施形態では、会員Ａの会員ＩＤと会員Ｂの会員ＩＤと、会員Ｃの会員ＩＤとを記憶している。ＳＲＩＤ部４３ｂ２は、会員が携帯する携帯端末７を特定するＳＲＩＤを会員ＩＤに対応して記憶する。口座番号部４３ｂ３は、会員が保有する電子マネーを特定する電子マネーＩＤを会員ＩＤに対応して記憶する。金額情報部４３ｂ４は、各電子マネーＩＤに対応して入金されている電子マネーの金額情報を、会員ＩＤに対応して記憶する。口座番号部４３ｂ３に電子マネーＩＤが記憶されている場合は、電子マネー記憶部４３ｂは当該ＳＲＩＤに対して口座情報を記憶している。
【００５８】
次に、図８を用いて、顧客管理部４３ｄについて説明する。顧客管理部４３ｄは、携帯端末７を特定するＳＲＩＤに対応して、顧客情報や携帯端末７のメールアドレス情報を記憶している。図８において、顧客管理部４３ｄは、ＳＲＩＤ部４３ｄ１、会員情報部４３ｄ２、依頼者情報部４３ｄ３、依頼者ＳＲＩＤ部４３ｄ４を記憶する。
【００５９】
ＳＲＩＤ部４３ｄ１は、電子レシートを受信する携帯端末７を特定するＳＲＩＤを記憶する。会員情報部４３ｄ２は、会員の会員情報（会員の氏名、住所、電話番号、家族構成、嗜好、購入履歴等の情報、携帯端末７のアドレス等）を記憶する。
【００６０】
携帯端末７が代行者の携帯端末７ａの場合は、依頼者情報部４３ｄ３は、買物の代行を依頼する依頼者の会員情報（依頼者の氏名、住所、電話番号等）を記憶する。依頼者ＳＲＩＤ部４３ｄ４は、依頼者の携帯端末７ｂの携帯アドレスを含むＳＲＩＤを記憶する。
【００６１】
なお、携帯端末７が依頼者の携帯端末７ｂの場合は、依頼者情報部４３ｄ３には、当該依頼者を除きかつ代行者を含む会員の会員情報が記憶されている。また、依頼者ＳＲＩＤ部４３ｄ４には、当該依頼者を除きかつ代行者を含む会員のメールアドレスが記憶されている。
【００６２】
次に、図９のブロック図を用いて、携帯端末７のハードウェア構成を説明する。図９において、携帯端末７は、各種演算や携帯端末７の各部を統括的に制御する制御部７１を備えている。制御部７１は、ＣＰＵ、各種プログラムやデータを記憶するＲＯＭ、各種プログラムを一時的に記憶し、また各種データを書き換え自在に記憶するＲＡＭ、現在の日時を計時するＲＴＣ部等によって構成されるコンピュータである。
【００６３】
操作部７２は、バス７６を介して表示部７３に接続されている。操作部７２は、操作者（顧客）が操作入力を行うための各種の操作キーや、ポインティングデバイスを有している。表示部７３は、例えば液晶ディスプレイ等であり、後述する電子レシート情報等の各種情報を表示する。なお、表示部７３をタッチパネル構成としてもよく、この場合、タッチパネルは操作部７２として機能する。
【００６４】
また、制御部７１は、バス７６を介して通信Ｉ／Ｆ７４に接続されており、この通信Ｉ／Ｆ７４を介してネットワークＮ５に接続することが可能となっている。
【００６５】
また、制御部７１は、バス７６を介して、記憶部７５に接続されている。記憶部７５は、Ｗｅｂ上に公開されている各種情報（コンテンツ）を閲覧するためのＷｅｂブラウザの他、電子レシート管理サーバ４から電子レシート情報を受け取るための電子レシート対応プログラム７５ａと、受け取ったレシート情報を閲覧するための電子レシート閲覧プログラム７５ｂと、電子レシート情報を送信する携帯端末７を特定するためのＳＲＩＤを記憶するＳＲＩＤ記憶部７５ｃとを備えている。ＳＲＩＤ記憶部７５ｃに記憶されたＳＲＩＤは、当該携帯端末７をログインして認証することで、表示部７３に、コードシンボル化して表示される。ＰＯＳ端末１は、コード読取部１５を用いて、表示部７３に表示されたコードシンボルを読み取って、ＰＯＳ端末１にＳＲＩＤを入力する。
【００６６】
なお、ＳＲＩＤは、コードシンボルとして読み取られる他に、ＰＯＳ端末１によって磁気的あるいは電気的に読み取られてもよい。また、携帯端末７以外の、例えば会員カード等からＳＲＩＤを読み取ってもよい。また、ＳＲＩＤ以外の顧客を特定する顧客ＩＤを読み取ってもよい。この場合、読み取った顧客ＩＤに基づいて、対応している電子レシート管理サーバ４に記憶されているＳＲＩＤを取得する。
【００６７】
次に、図１０〜図２２を用いて、実施形態の各部が実行する制御処理について説明する。
【００６８】
まず、ＰＯＳ端末１の制御部１１が、制御プログラム１７ａおよび電子レシート生成プログラム１７ｂに従って動作することにより実行される制御処理を、図１０に示すフローチャートを参照しつつ説明する。
【００６９】
図１０において、ＰＯＳ端末１の制御部１１は、コード読取部１５により、携帯端末７に記憶されているＳＲＩＤが入力されたか否かを判断する（ステップＳ１１）。入力されたと判断した場合は（ステップＳ１１のＹｅｓ）、制御部１１は、入力されたＳＲＩＤを、制御部１１のＲＡＭ１１ａ内に設けられたＳＲＩＤ記憶部１１ａ１に記憶する（ステップＳ１２）。そして制御部１１は、ステップＳ１１に戻って待機する。
【００７０】
また、ＳＲＩＤが入力されていないと判断した場合は（ステップＳ１１のＮｏ）、制御部１１は、コード読取部１５により、商品に付されたコードシンボルが読み取られて商品コードが入力されたか否かを判定する（ステップＳ２１）。商品コードが入力されたと判定すると（ステップＳ２１のＹｅｓ）、制御部１１は、当該商品コードに基づいて商品登録処理を実行する（ステップＳ２２）。そして制御部１１は、ステップＳ１１に戻って待機する。
【００７１】
商品登録処理とは、入力された商品コードに基づいて、記憶部１７に記憶された商品マスタ（図示せず）を検索し、入力された商品コードに対応して商品マスタに記憶されている商品情報（商品コード、商品名、単価、属性情報等）を読み出して、ＲＡＭ１１ａに設けられた商品情報記憶部１１ａ２に記憶することである。
【００７２】
商品コードが入力されていないと判断した場合は（ステップＳ２１のＮｏ）、制御部１１は、締めキー１２１が操作されたか否かを判断する（ステップＳ３１）。操作されたと判断した場合は（ステップＳ３１のＹｅｓ）、制御部１１は、当該取引の決済処理を実行する（ステップＳ３２）。決済処理とは、商品情報記憶部に記憶された商品情報に基づいて、合計金額を算出して表示部１４に表示し、各種の決済での支払いに基づいて当該取引を終了する処理をいう。
【００７３】
次に制御部１１は、当該取引に係る商品情報（商品名、価格、決済金額を含む）に基づいて、レシート用紙に印字するための非構造化形式のレシート情報を生成する（ステップＳ３３）。なお、上記ＳＲＩＤ記憶部１１ａ１にＳＲＩＤが記憶されている場合は、ステップＳ３３において、当該ＳＲＩＤを取込んで非構造化形式のレシート情報を生成する。
【００７４】
次に制御部１１は、レシート情報に基づいて、レシート情報を電子化した電子レシート情報を生成するか否かを判断する（ステップＳ３４）。生成されたレシート情報にＳＲＩＤが含まれている場合は、制御部１１は、電子レシート情報を生成すると判断する。
【００７５】
電子レシート情報を生成すると判断した場合は（ステップＳ３４のＹｅｓ）、制御部１１は、電子レシート生成プログラム１７ｂを駆動して、ステップＳ３３で生成した非構造化形式のレシート情報を変換した構造化形式の電子レシート情報を生成する（ステップＳ３５）。生成した電子レシート情報にはＳＲＩＤが含まれる。そして制御部１１は、生成したＳＲＩＤを含む電子レシート情報を電子レシートサーバ３に送信する（ステップＳ３６）。
【００７６】
次に制御部１１は、ＳＲＩＤ記憶部１１ａ１に記憶されたＳＲＩＤを消去する（ステップＳ３７）。次に制御部１１は、商品情報記憶部１１ａ２に記憶された商品情報を売上情報記憶部１１ａ３に累積記憶する（ステップＳ３８）。次に制御部１１は、商品情報記憶部１１ａ２に記憶された商品情報を消去する（ステップＳ３９）。そして制御部１１は、処理を終了する。なお、ステップＳ３４において、電子レシート情報を生成しないと判断した場合は、制御部１１は、印字部１３を駆動して、レシート情報を紙に印字した紙レシートを発行する（ステップＳ４０）。
【００７７】
次に、電子レシートサーバ３の制御部３１が、制御プログラム３３ｂに従って動作することにより実行される電子レシートの制御処理の流れを、図１１に示すフローチャートを参照しつつ説明する。
【００７８】
電子レシートサーバ３の制御部３１は、ＰＯＳ端末１からステップＳ３６で送信された電子レシート情報を通信Ｉ／Ｆ３２を介して受信したか否かを判断する（ステップＳ５１）。受信するまで待機し（ステップＳ５１のＮｏ）、受信したと判断した場合（ステップＳ５１のＹｅｓ）、記憶部３３の電子レシート管理部３３ａに企業毎の電子レシート情報として記憶する（ステップＳ５２）。そして、制御部３１は、ステップＳ５２で記憶した電子レシート情報を電子レシート管理サーバ４に送信し（ステップＳ５３）、ステップＳ５１に戻る。
【００７９】
次に、電子レシート管理サーバ４の制御部４１が、制御プログラム４３ｃに従って動作することにより実行される制御処理を、図１２に示す機能ブロック図及び図１３に示すフローチャートを参照しつつ説明する。
【００８０】
図１２に示すように、電子レシート管理サーバ４で実行される制御プログラム４３ｃは、電子レシート情報送信手段４１１、代行情報送信手段４１２、払込実行手段４１３、差戻情報送信手段４１４を含むモジュール構成となっている。実際のハードウェアとしては制御部４１のＣＰＵが、記憶部４３から制御プログラム４３ｃを読み出して実行することにより、電子レシート情報送信手段４１１、代行情報送信手段４１２、払込実行手段４１３、差戻情報送信手段４１４が実行される。
【００８１】
電子レシート情報送信手段４１１は、依頼者に頼まれた代購入商品を含む取引を決済した商品の取引情報を電子化した取引情報の内容を示す電子レシート情報を前記代購入商品の購入を代行した代行者が携帯する第１携帯端末装置に送信する機能を有する。
【００８２】
代行情報送信手段４１２は、第１携帯端末装置の操作に伴い、電子レシート情報に基づいて、決済した商品のうち代購入商品の取引情報を依頼者が携帯する第２携帯端末装置に送信する機能を有する。
【００８３】
払込実行手段４１３は、第２携帯端末装置での依頼者による代購入商品の代金の支払操作がされると、記憶された依頼者の口座情報および代行者の口座情報に基づいて、代金を依頼者の口座から代行者の口座に払い込むための処理を実行する機能を有する。
【００８４】
差戻情報送信手段４１４は、代行情報送信手段４１２が送信した代購入商品について、第２携帯端末装置の操作に基づいて依頼者が同意しないことを示す差戻情報を、第１携帯端末装置に送信する機能を有する。
【００８５】
図１３は、電子レシート管理サーバ４の制御処理を示すフローチャートである。図１３において、制御部４１は、電子レシートサーバ３から電子レシート情報を受信したか否かを判断する（ステップＳ６１）。電子レシート情報を受信したと判断した場合は（ステップＳ６１のＹｅｓ）、制御部４１は、受信したＳＲＩＤをＳＲＩＤ部４３ａ１に記憶する（ステップＳ６２）。そして対応する電子レシート情報を電子レシート情報部４３ａ３に記憶する（ステップＳ６２）。そして制御部４１は、電子レシート情報部４３ａ３に記憶したアドレスの携帯端末７に対して、電子レシート情報が存在することを通知する（ステップＳ６３）。そして制御部４１は、ステップＳ６１に戻って待機する。
【００８６】
また、電子レシートサーバ３から電子レシート情報を受信していないと判断した場合は（ステップＳ６１のＮｏ）、制御部４１は、携帯端末７から電子レシート情報の照会があったか否かを判断する（ステップＳ７１）。電子レシート情報の照会は、ステップＳ７３の通知を受信した携帯端末７を操作することで実行される（詳細は図１７で後述する）。
【００８７】
電子レシート情報の照会があったと判断した場合は（ステップＳ７１のＹｅｓ）、制御部４１は、照会があった電子レシート情報を、電子レシート管理部４３ａから抽出する（ステップＳ７２）。そして制御部４１は、抽出した電子レシート情報に含まれるアドレスに基づいて、当該アドレスで特定される携帯端末７に対して電子レシート情報を送信する（ステップＳ７３）。そして制御部４１は、ステップＳ６１に戻って待機する。
【００８８】
一方、電子レシート情報の照会ではないと判断した場合は（ステップＳ７１のＮｏ）、制御部４１は、受信した代行者が携帯する携帯端末７ａに表示されたメニューに含まれる立替ボタン（図１９の７３ｃ１）が操作されたことにより、携帯端末７ａから送信された立替ボタン情報を受信したか否かを判断する（ステップＳ８１）。受信したと判断した場合は（ステップＳ８１のＹｅｓ）、制御部４１は、先に送信した電子レシート情報に基づいて、立替した商品を指定できる立替画面情報を生成し（ステップＳ８２）、携帯端末７ａに送信する（ステップＳ８３）。そして制御部４１は、ステップＳ６１に戻る。携帯端末７ａが表示した立替情報画面を図２０に示す（説明は後述する）。
【００８９】
また、立替ボタン情報を受信していないと判断した場合は（ステップＳ８１のＮｏ）、次に制御部４１は、代行者が立替えた商品について立替えたことを申請する立替申請ボタン（図２０の７３ｃ２）が操作されたことにより、携帯端末７ａから送信された、代行者が携帯端末７ａを操作して立替商品を指定した立替申請画面情報を受信したか否かを判断する（ステップＳ９１）。受信したと判断した場合は（ステップＳ９１のＹｅｓ）、制御部４１は、図６の立替済フラグが「１」か「０」かを判断する（ステップＳ９２）。立替済フラグは、立替に対して依頼者が支払操作をし、電子マネー記憶部４３ｂでの支払処理が実行されると「１」となる。そのため、立替済フラグが「１」である場合は（ステップＳ９２のＹｅｓ）、すでに立替に対して支払いがされていると判断し、２回目以降の立替申請を拒否する（ステップＳ９７）。
【００９０】
立替済フラグが「１」ではないと判断した場合は（ステップＳ９２のＮｏ）、制御部４１は、受信した立替申請画面情報を立替申請画面情報部４３ａ４に記憶する（ステップＳ９３）。そして制御部４１は、依頼者に対し、立替申請がなされたことを示す立替申請メールを送信する（ステップＳ９４）。代行者は、立替申請をする際に、依頼者を指定する。制御部４１は、指定された依頼者のメールアドレスを、依頼者ＳＲＩＤ部４３ｄ４から読み出して、当該メールアドレスが示す宛先に上記立替申請メールを送信する。そして制御部４１は、立替申請フラグ部４３ａ７の立替申請フラグを「１」にセットする（ステップＳ９５）。そして制御部４１は、ステップＳ６１に戻る。
【００９１】
立替申請画面情報を受信していないと判断した場合は（ステップＳ９１のＮｏ）、制御部４１は、いずれかの携帯端末７から閲覧申請があったか否かを判断する（ステップＳ１０１）。閲覧申請は、メールを受信した携帯端末７からなされる（後述の図１８のステップＳ１９２）。閲覧申請は、携帯端末７ａからは、依頼者からの差戻メールが届いたときに申請される。携帯端末７ｂからは、代行者からの立替申請メールが届いたときに申請される。
【００９２】
いずれかの携帯端末７から閲覧申請があったと判断した場合は（ステップＳ１０１のＹｅｓ）、制御部４１は、立替申請フラグ部４３ａ７に記憶された立替申請フラグが「１」であるか否かを判断する（ステップＳ１０２）。立替申請フラグが「１」であると判断した場合は（ステップＳ１０２のＹｅｓ）、代行者から立替申請がなされているので、制御部４１は、立替申請画面情報部４３ａ４に記憶された立替申請画面情報を、依頼者の携帯端末７ｂに送信する（ステップＳ１０３）。そして制御部４１は、立替フラグを「０」にセットする（ステップＳ１０４）。そして制御部４１は、ステップＳ６１に戻って待機する。
【００９３】
一方、ステップＳ１０２において、立替申請フラグが「１」ではなく「０」であると判断した場合は（ステップＳ１０２のＮｏ）、制御部４１は、差戻フラグ部４３ａ８に記憶された差戻フラグが「１」であるか否かを判断する（ステップＳ１０５）。差戻フラグが「１」であると判断した場合は（ステップＳ１０５のＹｅｓ）、制御部４１は、差戻画面情報部４３ａ５に記憶された差戻画面情報を、代行者の携帯端末７ａに送信する（ステップＳ１０６）。そして制御部４１は、差戻フラグを「０」にセットする（ステップＳ１０７）。そして制御部４１は、ステップＳ６１に戻って待機する。
【００９４】
また、ステップＳ１０５において、差戻フラグが「１」ではなく「０」であると判断した場合は（ステップＳ１０５のＮｏ）、制御部４１は、支払画面情報部４３ａ６に記憶された支払画面情報を、代行者の携帯端末７ａに送信する（ステップＳ１０８）。そして制御部４１は、ステップＳ６１に戻って待機する。
【００９５】
一方、ステップＳ１０１において、閲覧申請ではないと判断した場合は（ステップＳ１０１のＮｏ）、制御部４１は、携帯端末７ｂから、後述する図１８のステップＳ２０６の処理に伴う支払画面情報を受信したか否かを判断する（ステップＳ１１１）。受信したと判断した場合は（ステップＳ１１１のＹｅｓ）、制御部４１は、受信した支払画面情報を支払画面情報部４３ａ６に記憶する（ステップＳ１１２）。そして制御部４１は、代行者の携帯端末７ａに対して、メールアドレスを読み出して支払メールを送信する（ステップＳ１１３）。そして制御部４１は、立替済フラグ部４３ａ９に記憶されている立替済フラグを「１」にセットする（ステップＳ１１４）。次に制御部４１は、代行者に立替えてもらった金額の支払い処理を実行する（ステップＳ１１５）。そして制御部４１は、ステップＳ６１に戻って待機する。
【００９６】
ここで、図１５を用いて電子マネーを使用した支払処理について説明する。図１５において、制御部４１は、電子マネー記憶部４３ｂに依頼者の口座（口座情報）があるか否かを判断する（ステップＳ１３１）。この判断は、電子マネー記憶部４３ｂのＳＲＩＤ部４３ｂ２に、依頼者の携帯端末７ｂのＳＲＩＤが存在するか否かで判断する。電子マネー記憶部４３ｂのＳＲＩＤ部４３ｂ２に、依頼者の携帯端末７ｂのＳＲＩＤが存在する場合、電子マネー記憶部４３ｂに依頼者の口座があると判断する。
【００９７】
電子マネー記憶部４３ｂに依頼者の口座があると判断した場合は（ステップＳ１３１のＹｅｓ）、次に制御部４１は、電子マネー記憶部４３ｂに代行者の口座（口座情報）があるか否かを判断する（ステップＳ１３２）。この判断は、電子マネー記憶部４３ｂのＳＲＩＤ部４３ｂ２に、代行者の携帯端末７ａのＳＲＩＤが存在するか否かで判断する。電子マネー記憶部４３ｂのＳＲＩＤ部４３ｂ２に、代行者の携帯端末７ａのＳＲＩＤが存在する場合、電子マネー記憶部４３ｂに代行者の口座があると判断する。
【００９８】
電子マネー記憶部４３ｂに代行者の口座があると判断した場合は（ステップＳ１３２のＹｅｓ）、次に制御部４１は、依頼者の口座に支払額以上の残高があるか否かを判断する（ステップＳ１３３）。支払額以上の残高があると判断した場合は（ステップＳ１３３のＹｅｓ）、制御部４１は、支払額以上の依頼者の口座から代行者の口座に、支払金額分の電子マネーを移動させて、立替分の支払いを実行する（ステップＳ１３４）。
【００９９】
なお、電子マネー記憶部４３ｂに依頼者の口座がない場合（ステップＳ１３１のＮｏ）、電子マネー記憶部４３ｂに代行者の口座がないと判断した場合（ステップＳ１３２のＮｏ）、依頼者の口座に支払額以上の残高がないと判断した場合は（ステップＳ１３３のＮｏ）、制御部４１は、エラー処理を実行し、各携帯端末７に立替金額の支払いが困難である旨のメールを送信する（ステップＳ１３５）。そして制御部４１は、ステップＳ６１に戻る。
【０１００】
図１４の説明に戻る。ステップＳ１１１において、支払画面情報を受信していないと判断した場合は（ステップＳ１１１のＮｏ）、制御部４１は、差戻画面情報を受信したか否かを判断する（ステップＳ１２１）。受信したと判断した場合は（ステップＳ１２１のＹｅｓ）、制御部４１は、受信した差戻画面情報を、差戻画面情報部４３ａ５に記憶する（ステップＳ１２２）。次に制御部４１は、差戻画面情報が届いていることを、代行者が携帯する携帯端末７ａに送信する（ステップＳ１２３）。そして制御部４１は、差戻フラグ部４３ａ８に記憶されている差戻フラグを「１」にセットする（ステップＳ１２４）。そして制御部４１は、ステップＳ６１に戻って待機する。
【０１０１】
なお、ステップＳ１２１で差戻画面情報を受信していないと判断した場合は（ステップＳ１２１のＮｏ）、制御部４１は、ステップＳ６１に戻って待機する。
【０１０２】
このような実施形態の電子レシート管理サーバ４によれば、電子レシート情報を送信する代行者の携帯端末７ａに送信した電子レシート情報に基づいて生成された立替申請情報を依頼者の携帯端末７ｂに送信し、依頼者から代金の支払いが操作されると、依頼者の口座から代行者の口座に立替商品の代金が払い込まれるため、依頼者が買物の代行を頼んだ場合、代金の支払者から代行者に、商品の代金を商品の額だけ正確に支払うことができる。
【０１０３】
また、実施形態の電子レシート管理サーバ４は、依頼者の口座と代行者の口座とを記憶しているため、電子レシート管理サーバ４が、依頼者の口座から代行者の口座に代金払い込む処理を実行することができる。
【０１０４】
次に、携帯端末７の制御部７１が、電子レシート対応プログラム７５ａに従って動作することにより実行される電子レシート受け取り処理及び電子レシート閲覧プログラム７５ｂに従って動作することにより実行される電子レシート閲覧処理の流れを、図１６に示す機能ブロック図、図１７および図１８に示すフローチャートおよび図１９〜図２２を参照しつつ説明する。
【０１０５】
図１６に示すように、携帯端末７で実行される電子レシート対応プログラム７５ａおよび電子レシート閲覧プログラム７５ｂは、電子レシート情報表示手段７１１、指定手段７１２、代購入商品表示手段７１３、送信手段７１４、支払許諾手段７１５、差戻操作手段７１６、差戻情報送信手段７１７を含むモジュール構成となっている。実際のハードウェアとしては制御部７１のＣＰＵが、記憶部７５から電子レシート対応プログラム７５ａおよび電子レシート閲覧プログラム７５ｂを読み出して実行することにより、電子レシート情報表示手段７１１、指定手段７１２、代購入商品表示手段７１３、送信手段７１４、支払許諾手段７１５、差戻操作手段７１６、差戻情報送信手段７１７が実行される。
【０１０６】
電子レシート情報表示手段７１１は、依頼者に頼まれた代購入商品を含む取引を決済した商品の取引情報を電子化した取引情報の内容を示す電子レシート情報を受信する機能を有する。
【０１０７】
指定手段７１２は、代購入商品を指定する機能を有する。
【０１０８】
代購入商品表示手段７１３は、受信した前記電子レシート情報に基づいて指定された代購入商品を表示する機能を有する。
【０１０９】
送信手段７１４は、表示した代購入商品の代購入商品情報を外部の情報処理装置に送信する機能を有する。
【０１１０】
支払許諾手段７１５は、情報処理装置から受信した代購入商品情報に基づいて、代購入商品の代金の支払許諾を操作する機能を有する。
【０１１１】
差戻操作手段７１６は、代購入商品の支払に同意しないことを操作する機能を有する。
【０１１２】
差戻情報送信手段７１７は、操作された差戻情報を情報処理装置に送信する機能を有する。
【０１１３】
次に、携帯端末７の制御部７１が、電子レシート対応プログラム７５ａに従って動作することにより実行される電子レシート受け取り処理及び電子レシート閲覧プログラム７５ｂに従って動作することにより実行される電子レシート閲覧処理の流れを、図１７および図１８に基づいて説明する。なお、電子レシート閲覧処理の流れの説明の中で、携帯端末７の表示部７３が表示する表示例について、図１９〜図２２を用いて説明する。
【０１１４】
図１７に示すように、制御部７１は、ログインされたか否かを判断する（ステップＳ１４１）。ログインされるまで電子レシートを受信したり店舗会員ＩＤを表示することはできない。そのため、電子レシートを受信したり店舗会員ＩＤを表示するために、ログインされるまで待機する（ステップＳ１４１のＮｏ）。なお、この待機中に、制御部７１は他の処理を実行することはできる。
【０１１５】
次に制御部７１は、電子レシート管理サーバ４から、電子レシート情報を電子レシートサーバ３から受信したことを示す通知を受信したか否かを判断する（ステップＳ１４３）。受信したと判断した場合は（ステップＳ１４３のＹｅｓ）、制御部７１は、受信したことを示す通知を表示部７３に表示する（ステップＳ１４４）。
【０１１６】
電子レシート情報受信の通知を受信していないと判断した場合は（ステップＳ１４３のＮｏ）、制御部７１は、電子レシート情報の照会が操作されたか否かを判断する（ステップＳ１５１）。上記通知を見た携帯端末７の操作者は、電子レシート情報の照会情報を送信するために操作部７２を操作する。操作されたと判断した場合は（ステップＳ１５１のＹｅｓ）、制御部７１は、ＳＲＩＤ記憶部７５ｃに記憶されている当該携帯端末７を特定するＳＲＩＤとともに、電子レシートの送信を求める照会情報を電子レシート管理サーバ４に送信する（ステップＳ１５２）。照会情報を受信した電子レシート管理サーバ４は、図１３のステップＳ７１〜ステップＳ７３の処理を実行して電子レシート情報を携帯端末７に送信する。
【０１１７】
一方、電子レシート情報の照会の操作ではないと判断した場合は（ステップＳ１５１のＮｏ）、制御部７１は、電子レシート管理サーバ４から、電子レシート情報を受信したか否かを判断する（ステップＳ１６１）。電子レシート情報を受信したと判断した場合は（ステップＳ１６１のＹｅｓ）、制御部７１は、受信した電子レシート情報を表示部７３に表示する（ステップＳ１６２）。なお、電子レシート情報のみを受信した場合は、制御部７１は、当該電子レシート情報を表示する。
【０１１８】
図１９は、携帯端末７が、ステップＳ１６２において、電子レシート管理サーバ４から受信した電子レシート情報を表示部７３に表示した一例である。図１９において、制御部７１は、表示部７３に、購入した商品７３ａ、合計金額７３ｂ、複数個のメニューボタン７３ｃ、を表示する。実施形態において、代行者が購入した商品は、商品Ａ、商品Ｂ、商品Ｃ，商品Ｄの４個の商品である。合計金額は１０００円である。代行者が、立替えた商品について、依頼者に対して立替申請を行う場合は、表示された複数個のメニューボタンの一つである立替ボタン７３ｃ１を操作することで開始される。
【０１１９】
次に制御部７１は、立替ボタン７３ｃ１が操作されたか否かを判断する（ステップＳ１６３）。操作されたと判断した場合は（ステップＳ１６３のＹｅｓ）、制御部７１は、立替ボタン７３ｃ１が操作されたことを示す情報を電子レシート管理サーバ４に対して送信する。この情報を受信した電子レシート管理サーバ４は、ステップＳ８２で生成した立替画面情報を、ステップＳ８３で携帯端末７に送信する（ステップＳ１６４）。携帯端末７は、この立替画面情報を受信する（ステップＳ１６５）。そして受信した立替指定情報を表示部７３に表示する（ステップＳ１６６）。
【０１２０】
立替指定情報は、電子レシート情報に含まれる商品情報のそれぞれを個々に指定できるように加工された情報である。立替指定情報には、商品を個々に指定するための指定ボックスが商品に対応して表示される。立替画面情報が表示されると、代行者は、表示に基づいて代行者が依頼者の依頼によって立替えたと思う商品の指定ボックスをタッチして、立替えた商品を指定する。
【０１２１】
図２０は、表示部７３が表示した立替画面において、代行者が依頼者の依頼によって立替えた商品を指定した図である。図２０において、表示された商品７３ａのうち、商品Ａの指定ボックス７３ａ１と商品Ｂの指定ボックス７３ａ２と商品Ｃの指定ボックス７３ａ３の色が反転して、これらの商品が立替商品として指定されている。商品Ｄの指定ボックス７３ａ４は反転しておらず、立替商品として指定されていない。合計金額部７３ｂは、商品Ａ、商品Ｂ、商品Ｃの合計金額８００円を示す。この８００円が、代行者が指定した立替商品の合計金額である。
【０１２２】
立替商品の指定後、代行者は、依頼者の指定をする。この指定は、代行者の携帯端末７ａを操作して実行する。代行者は所定の操作によって、顧客管理部４３ｄの依頼者情報部４３ｄ３に記憶されている依頼者のリストを、代行者の携帯端末７ａに表示する。そして代行者は、表示されたリストの中から該当する依頼者を指定する。制御部７１は、代行者によって指定された依頼者を指定する（ステップＳ１６７）。
【０１２３】
次に代行者は、図２０に表示された立替申請ボタン７３ｃ２を操作して立替処理を実行する。制御部７１は、立替申請ボタン７３ｃ２が操作されたか否かを判断する（ステップＳ１６８）。操作されるまで待機し（ステップＳ１６８のＮｏ）、操作されたと判断した場合は（ステップＳ１６８のＹｅｓ）、制御部７１は、図２０の立替申請画面情報を、電子レシート管理サーバ４に送信する（ステップＳ１６９）。この場合、指定ボックスの色が反転した商品Ａと商品Ｂと商品Ｃの情報は立替申請画面情報として送信されるが、指定ボックスが反転していない商品Ｄの情報は、立替申請画面情報として送信されない。
【０１２４】
そして制御部７１はステップＳ１４３に戻る。なお、ステップＳ１６３において、立替ボタン７３ｃ１が操作されていないと判断した場合は（ステップＳ１６３のＮｏ）、制御部７１は、携帯端末７におけるその他の処理を実行し（ステップＳ１７０）、ステップＳ１４３に戻る。
【０１２５】
また、ステップＳ１６１において、電子レシート情報を受信していないと判断した場合は（ステップＳ１６１のＮｏ）、制御部７１は、過去に受信したあるいは過去に通知された電子レシート情報に基づいて特定の電子レシートを検索する操作が実行されたか否かを判断する（ステップＳ１８０）。代行者は、過去に受信した電子レシート情報を検索して、未だ実施していない立替処理を実行することができる。特定の電子レシートを検索する操作が実行されたと判断した場合は（ステップＳ１８０のＹｅｓ）、制御部７１は、入力された所定の条件を満たす電子レシートを抽出して、ステップＳ１６２以降の処理を実行する。
【０１２６】
また、ステップＳ１８０において、特定の電子レシートを検索する操作が実行されていないと判断した場合は（ステップＳ１８０のＮｏ）、次に制御部７１は、電子レシート管理サーバ４から、携帯端末７から送信されたメールを受信したか否かを判断する（ステップＳ１８１）。メールを受信していると判断した場合は（ステップＳ１８１のＹｅｓ）、制御部７１は、図１８で示す画面処理を実行する（ステップＳ１８２）。メールを受信していないと判断した場合は（ステップＳ１８１のＮｏ）、制御部７１は、ステップＳ１４３に戻る。
【０１２７】
図１８に、ステップＳ１８１でメールを受信したと判断した場合の処理を示す。図１８において、制御部７１は、受信したメールの内容を表示部７３に表示する（ステップＳ１９１）。メールは、ステップＳ９４で、代行者によって立替申請がされたときに、代行者から依頼者に送信されるメール、ステップＳ１１３で、依頼者によって支払処理を実行したときに、依頼者から代行者に送信されるメール、そしてステップＳ１２３で、依頼者によって差戻されたときに、依頼者から代行者に送信されるメールのいずれかである。
【０１２８】
代行者あるいは依頼者は、表示されたメールを読んで、携帯端末７を操作してメールに応じた閲覧申請を実行する。制御部７１は、閲覧申請が操作されたか否かを判断する（ステップＳ１９２）。操作されるまで待機し（ステップＳ１９２のＮｏ）、操作されたと判断した場合は（ステップＳ１９２のＹｅｓ）、制御部７１は、電子レシート管理サーバ４から対応する画面情報を受信する。具体的には、制御部７１は、代行者によって立替申請がされたときに送信されたメールを受信したときは、立替申請画面情報部４３ａ４に記憶された立替申請画面情報を受信する。また、制御部７１は、依頼者によって支払処理を実行したときに、依頼者から送信されたメールを受信したときは、支払画面情報部４３ａ６に記憶された支払画面情報を受信する。また、制御部７１は、依頼者によって差戻されたときに、依頼者から代行者に送信されたメールを受信したときは、差戻画面情報部４３ａ５に記憶された差戻画面情報を受信する。
【０１２９】
次に制御部７１は、受信した画面情報が立替申請画面情報であるか否かを判断する（ステップＳ２０１）。受信した画面情報が立替申請画面情報であると判断した場合は（ステップＳ２０１のＹｅｓ）、制御部７１は受信した立替申請画面情報を依頼者の携帯端末７ｂに表示する（ステップＳ２０２）。
【０１３０】
図２１に、携帯端末７ｂの表示部７３に、受信した立替申請画面情報に基づいて表示された立替申請画面の一例を示す。図２１において、表示部７３は、立替申請された商品Ａを指定ボックス７３ａ１とともに表示し、商品Ｂを指定ボックス７３ａ２とともに表示し、商品Ｃを指定ボックス７３ａ３とともに表示している。また表示部７３は、立替申請された商品に同意しない場合に、依頼者が操作する差戻ボタン７３ｃ３、および立替申請された商品に同意する場合に依頼者が操作する支払ボタン７３ｃ４を表示する。合計金額部７３ｂには、商品Ａ、商品Ｂ、商品Ｃの合計金額８００円が表示される。依頼者は、この８００円が代購入商品の合計金額であることが分かる。
【０１３１】
依頼者は、携帯端末７ｂに表示された立替申請画面情報を見て、立替申請された商品に同意するか否かを判断する。そして依頼者は、立替申請された商品に同意しないと判断した場合は、表示されている立替申請画面上で、依頼者が正しくないと思う商品の指定ボックスをさらに反転する操作を実行する。
【０１３２】
図２２は、依頼者が、商品Ａと商品Ｂの立替には同意するが、商品Ｃの立替には同意しないとして、商品Ｃの指定ボックスをさらに反転させて、指定を解除したことを示す図である。依頼者は、商品Ｃの指定ボックス７３ａ３をタッチする。すると、制御部７１は、商品Ｃの指定ボックス７３ａ３の色を反転させて、指定を解除する。この場合、合計金額部７３ｂには、商品Ａと商品Ｂの合計金額６００円が表示される。図２２の場合、依頼者が立替に同意していないので、差戻ボタン７３ｃ３は表示され続けるが、支払ボタン７３ｃ４は表示部７３から消去あるいはグレーアウトされ、支払ボタン７３ｃ４は操作できない。
【０１３３】
制御部７１は、依頼者によって差戻ボタン７３ｃ３が操作されたか否かを判断する（ステップＳ２０３）。操作されたと判断した場合は（ステップＳ２０３のＹｅｓ）、制御部７１は、電子レシート管理サーバ４に、図２２の差戻画面情報を送信する（ステップＳ２０４）。そして制御部７１は、１４１に戻る。また、差戻ボタン７３ｃ３が操作されていないと判断した場合は（ステップＳ２０３のＮｏ）、次に制御部７１は、支払ボタン７３ｃ４が操作されたか否かを判断する（ステップＳ２０５）。操作されたと判断した場合は（ステップＳ２０５のＹｅｓ）、制御部７１は、電子レシート管理サーバ４に、支払画面情報を送信する（ステップＳ２０６）。そして制御部７１は、ステップＳ１４１に戻る。例えば、図２１の立替申請画面に同意する場合は、図２１の画面情報を支払画面情報として送信する。操作されていないと判断した場合は（ステップＳ２０５のＮｏ）、制御部７１は、ステップＳ２０３に戻る。
【０１３４】
また、ステップＳ２０１において、受信した画面情報が立替申請画面情報ではないと判断した場合は（ステップＳ２０１のＮｏ）、制御部７１は、受信した画面情報が差戻画面情報であるか否かを判断する（ステップＳ２１１）。差戻画面情報であると判断した場合は（ステップＳ２１１のＹｅｓ）、制御部７１は、表示部７３に、受信した差戻画面情報に基づく差戻画面を表示する（ステップＳ２１２）。
【０１３５】
代行者は、立替申請に対して依頼者から同意しないとして差戻されたため、再度差戻画面に基づいて立替申請を実行する。制御部７１は、立替申請ボタンを操作して、代行者による再度の立替申請がされたか否かを判断する（ステップＳ２１３）。申請されるまで待機し（ステップＳ２１３のＮｏ）、申請されたと判断した場合は（ステップＳ２１３のＹｅｓ）、制御部７１は、ステップＳ１６９以降の処理を繰り返す。
【０１３６】
また、ステップＳ２１１において、受信した画面情報が差戻画面情報ではないと判断した場合（ステップＳ２１１のＮｏ）、受信し画面情報は、依頼者の携帯端末７ｂが支払ボタンを操作したことによる支払処理が終了したことを示す支払済画面であるので、制御部７１は、受信した支払済画面を表示する（ステップＳ２１５）。
【０１３７】
このような実施形態の携帯端末７によれば、代行者が買物を代行した商品を表示し、また立替申請に同意すると、代金の支払いを許諾することができるため、買物の代行を頼んだ場合、代金の支払者から代行者に、商品の代金を商品の額だけ正確に支払うことができる。立替に同意しない場合は、立替申請を差戻しをすることができる。
【０１３８】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更、組み合わせを行うことができる。この実施形態やその変形は、発明の範囲や要旨に含まれるとともに、特許請求の範囲に記載された発明とその均等の範囲に含まれる。
【０１３９】
例えば、上記実施形態では、電子レシート管理サーバ４の電子マネー記憶部に依頼者の口座と代行者の口座を設けたが、電子レシート管理サーバ４以外の例えば第三者機関にそれぞれの口座を設け、電子レシート管理サーバ４は、代金を前記依頼者の口座から前記代行者の口座に払い込むための指示をする処理を実行するようにしてもよい。
【０１４０】
なお、実施形態の電子レシート管理サーバ４および携帯端末７で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【０１４１】
また、実施形態の電子レシート管理サーバ４および携帯端末７で実行されるプログラムを、インターネット等のネットワークに接続されたコンピュータ上に格納し、ネットワーク経由でダウンロードさせることにより提供するように構成しても良い。また、実施形態の電子レシート管理サーバ４および携帯端末７で実行されるプログラムをインターネット等のネットワーク経由で提供または配布するように構成しても良い。
【０１４２】
また、実施形態の電子レシート管理サーバ４および携帯端末７で実行されるプログラムを、ＲＯＭ等に予め組み込んで提供するように構成してもよい。
【符号の説明】
【０１４３】
１  ＰＯＳ端末
２  ストアサーバ
３  電子レシートサーバ
４  電子レシート管理サーバ
７  携帯端末
７ａ  代行者の携帯端末
７ｂ  依頼者の携帯端末
１１  制御部
３１  制御部
４１  制御部
４３ａ  電子レシート管理部
４３ｂ  電子マネー記憶部
４３ｄ  顧客管理部
７１  制御部
４１１  電子レシート情報送信手段
４１２  代行情報送信手段
４１３  払込実行手段
４１４  差戻情報送信手段
７１１  電子レシート情報表示手段
７１２  指定手段
７１３  代購入商品表示手段
７１４  送信手段
７１５  支払許諾手段
７１６  差戻操作手段
７１７  差戻情報送信手段
【先行技術文献】
【特許文献】
【０１４４】
【特許文献１】特開平０５−１７４２３２号公報
【図１】
2019106217.tif 000003
【図２】
2019106217.tif 000004
【図３】
2019106217.tif 000005
【図４】
2019106217.tif 000006
【図５】
2019106217.tif 000007
【図６】
2019106217.tif 000008
【図７】
2019106217.tif 000009
【図８】
2019106217.tif 000010
【図９】
2019106217.tif 000011
【図１０】
2019106217.tif 000012
【図１１】
2019106217.tif 000013
【図１２】
2019106217.tif 000014
【図１３】
2019106217.tif 000015
【図１４】
2019106217.tif 000016
【図１５】
2019106217.tif 000017
【図１６】
2019106217.tif 000018
【図１７】
2019106217.tif 000019
【図１８】
2019106217.tif 000020
【図１９】
2019106217.tif 000021
【図２０】
2019106217.tif 000022
【図２１】
2019106217.tif 000023
【図２２】
2019106217.tif 000024
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
立替商品の代金を含む取引にかかる取引情報を電子化した前記取引情報の電子レシート情報を第１携帯端末装置に表示させるために前記第１携帯端末装置に出力する電子レシート情報出力手段と、
前記第１携帯端末装置から前記立替商品の代金の合計金額を含む立替商品情報と、前記第１携帯端末装置とは異なる第２携帯端末装置を識別する識別情報を受信する受信手段と、
受信した前記立替商品情報を前記識別情報で識別された前記第２携帯端末装置に出力する第２取引情報出力手段と、
第１口座の第１口座情報と第２口座の第２口座情報とを記憶する口座情報記憶部と、
前記第２携帯端末装置から前記立替商品の代金の支払を指示する信号を受信した場合、記憶された前記第１口座情報および前記第２口座情報に基づいて、前記立替商品の代金を前記第２口座から前記第１口座に払い込むための処理を実行する払込実行手段と、
を備える情報処理装置。
【請求項２】
前記第２取引情報出力手段は、前記払込実行手段によって前記払い込むための処理が実行されていないことを条件に、前記立替商品の代金を含む前記立替商品情報を前記第２携帯端末装置に出力する、
請求項１に記載の情報処理装置。
【請求項３】
前記第１口座情報および前記第２口座情報は、それぞれ異なる前記識別情報と関連付けられている、
請求項１または２に記載の情報処理装置。
【請求項４】
前記第２取引情報出力手段が出力した前記立替商品情報について、前記第２携帯端末装置の操作に基づいて支払いに同意しないことを示す差戻情報を、前記第１携帯端末装置に出力する差戻情報出力手段、をさらに備えた、
請求項１乃至３のいずれか一に記載の情報処理装置。
【請求項５】
第１口座の第１口座情報と第２口座の第２口座情報とを記憶する口座情報記憶部を備えた情報処理装置としてのコンピュータを、
立替商品の代金を含む取引にかかる取引情報を電子化した前記取引情報の電子レシート情報を第１携帯端末装置に表示させるために前記第１携帯端末装置に出力する電子レシート情報出力手段と、
前記第１携帯端末装置から前記立替商品の代金の合計金額を含む立替商品情報と、前記第１携帯端末装置とは異なる第２携帯端末装置を識別する識別情報を受信する受信手段と、
受信した前記立替商品情報を前記識別情報で識別された前記第２携帯端末装置に出力する第２取引情報出力手段と、
前記第２携帯端末装置から前記立替商品の代金の支払を指示する信号を受信した場合、記憶された前記第１口座情報および前記第２口座情報に基づいて、前記立替商品の代金を前記第２口座から前記第１口座に払い込むための処理を実行する払込実行手段と、
として機能させるためのプログラム。
【請求項６】
情報処理装置と、前記情報処理装置と通信可能な第１携帯端末装置および第２携帯端末装置と、を備える電子レシートシステムであって、
前記情報処理装置は、
立替商品の代金を含む取引にかかる取引情報を電子化した前記取引情報の電子レシート情報を第１携帯端末装置に表示させるために前記第１携帯端末装置に出力する電子レシート情報出力手段と、
前記第１携帯端末装置から前記立替商品の代金の合計金額を含む立替商品情報と、前記第１携帯端末装置とは異なる第２携帯端末装置を識別する識別情報を受信する受信手段と、
受信した前記立替商品情報を前記識別情報で識別された前記第２携帯端末装置に出力する第２取引情報出力手段と、
第１口座の第１口座情報と第２口座の第２口座情報とを記憶する口座情報記憶部と、
前記第２携帯端末装置から前記立替商品の代金の支払を指示する信号を受信した場合、記憶された前記第１口座情報および前記第２口座情報に基づいて、前記立替商品の代金を前記第２口座から前記第１口座に払い込むための処理を実行する払込実行手段と、
を備え、
前記第１携帯端末装置は、
前記電子レシート情報出力手段によって受信した前記電子レシート情報の表示に関連して立替商品を指定する指定手段と、
前記第１携帯端末装置を操作して、指定された立替商品の前記立替商品情報と前記識別情報を前記情報処理装置に送信する送信手段と、
を備え、
前記第２携帯端末装置は、
表示した前記立替商品情報に基づいて、前記立替商品の代金の支払許諾の操作に基づく処理を実行する支払許諾手段、
を備える電子レシートシステム。
【手続補正３】
【補正対象書類名】明細書
【補正対象項目名】０００１
【補正方法】変更
【補正の内容】
【０００１】
本発明の実施形態は、情報処理装置、プログラムおよび電子レシートシステムに関する。
【手続補正４】
【補正対象書類名】明細書
【補正対象項目名】０００４
【補正方法】変更
【補正の内容】
【０００４】
本発明が解決しようとする課題は、買物の代行を頼んだ場合、代金の支払者から代行者に、商品の代金を商品の額だけ正しくかつ即座に支払える情報処理装置、プログラムおよび電子レシートシステムを提供することである。
【手続補正５】
【補正対象書類名】明細書
【補正対象項目名】０００５
【補正方法】変更
【補正の内容】
【０００５】
実施形態の情報処理装置は、立替商品の代金を含む取引にかかる取引情報を電子化した前記取引情報の電子レシート情報を第１携帯端末装置に表示させるために前記第１携帯端末装置に出力する電子レシート情報出力手段と、前記第１携帯端末装置から前記立替商品の代金の合計金額を含む立替商品情報と、前記第１携帯端末装置とは異なる第２携帯端末装置を識別する識別情報を受信する受信手段と、受信した前記立替商品情報を前記識別情報で識別された前記第２携帯端末装置に出力する第２取引情報出力手段と、第１口座の第１口座情報と第２口座の第２口座情報とを記憶する口座情報記憶部と、前記第２携帯端末装置から前記立替商品の代金の支払を指示する信号を受信した場合、記憶された前記第１口座情報および前記第２口座情報に基づいて、前記立替商品の代金を前記第２口座から前記第１口座に払い込むための処理を実行する払込実行手段と、を備える。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
実施形態のプログラムは、第１口座の第１口座情報と第２口座の第２口座情報とを記憶する口座情報記憶部を備えた情報処理装置としてのコンピュータを、立替商品の代金を含む取引にかかる取引情報を電子化した前記取引情報の電子レシート情報を第１携帯端末装置に表示させるために前記第１携帯端末装置に出力する電子レシート情報出力手段と、前記第１携帯端末装置から前記立替商品の代金の合計金額を含む立替商品情報と、前記第１携帯端末装置とは異なる第２携帯端末装置を識別する識別情報を受信する受信手段と、受信した前記立替商品情報を前記識別情報で識別された前記第２携帯端末装置に出力する第２取引情報出力手段と、前記第２携帯端末装置から前記立替商品の代金の支払を指示する信号を受信した場合、記憶された前記第１口座情報および前記第２口座情報に基づいて、前記立替商品の代金を前記第２口座から前記第１口座に払い込むための処理を実行する払込実行手段と、して機能させる。
【手続補正８】
【補正対象書類名】明細書
【補正対象項目名】０００８
【補正方法】変更
【補正の内容】
【０００８】
実施形態の電子レシートシステムは、情報処理装置と、前記情報処理装置と通信可能な第１携帯端末装置および第２携帯端末装置と、を備える電子レシートシステムであって、前記情報処理装置は、立替商品の代金を含む取引にかかる取引情報を電子化した前記取引情報の電子レシート情報を第１携帯端末装置に表示させるために前記第１携帯端末装置に出力する電子レシート情報出力手段と、前記第１携帯端末装置から前記立替商品の代金の合計金額を含む立替商品情報と、前記第１携帯端末装置とは異なる第２携帯端末装置を識別する識別情報を受信する受信手段と、受信した前記立替商品情報を前記識別情報で識別された前記第２携帯端末装置に出力する第２取引情報出力手段と、第１口座の第１口座情報と第２口座の第２口座情報とを記憶する口座情報記憶部と、前記第２携帯端末装置から前記立替商品の代金の支払を指示する信号を受信した場合、記憶された前記第１口座情報および前記第２口座情報に基づいて、前記立替商品の代金を前記第２口座から前記第１口座に払い込むための処理を実行する払込実行手段と、を備え、前記第１携帯端末装置は、前記電子レシート情報出力手段によって受信した前記電子レシート情報の表示に関連して立替商品を指定する指定手段と、前記第１携帯端末装置を操作して、指定された立替商品の前記立替商品情報と前記識別情報を前記情報処理装置に送信する送信手段と、を備え、前記第２携帯端末装置は、表示した前記立替商品情報に基づいて、前記立替商品の代金の支払許諾の操作に基づく処理を実行する支払許諾手段、を備える。